(57)【要約】  本発明は、空気出口から排出される空気流によってユーザの手を乾燥させる手乾燥機に関する。空気流は、モータ駆動されるファンユニットによって生成される。ファンユニットは、ファンユニットに接触する弾性支持部材によって支持される。弾性支持部材は、ファンユニットと接触する頂点部を有する。弾性支持部材は、エラストマー支持部材であり、円錐形状を有する。弾性支持部材は、手乾燥機の固定部に取付けられる。複数の弾性支持部材が設けられ、ファンユニットの外側の周りに配置される。
2016501581.tif 000002
【特許請求の範囲】
【請求項１】
空気出口から排出される空気流によってユーザの手を乾燥させる手乾燥機であって、
空気流は、モータ駆動されるファンユニットによって生成され、
前記ファンユニットは、前記ファンユニットと接触する弾性支持部材によって支持され、
前記弾性支持部材は、前記ファンユニットと接触する頂点部を有する、手乾燥機。
【請求項２】
前記弾性支持部材は、エラストマー支持部材である、請求項１に記載の手乾燥機。
【請求項３】
前記弾性支持部材は、円錐形状を有する、請求項１又は２に記載の手乾燥機。
【請求項４】
前記弾性支持部材は、手乾燥機の固定部に取付けられる、請求項１又は２に記載の手乾燥機。
【請求項５】
複数の前記弾性支持部材が設けられ、前記ファンユニットの外側の周りに配置される、請求項１〜４のいずれか１項に記載の手乾燥機。
【請求項６】
前記弾性支持部材は、手乾燥機の固定部に取付けられ、前記固定部は、前記ファンユニットの外側の周りに延びる、請求項５に記載の手乾燥機。
【請求項７】
前記ファンユニットは、前記ファンユニット内のファンの回転軸線に沿って延びるファン軸線を有し、前記弾性支持部材は、前記ファン軸線に対して垂直に延びるように配置される、請求項１〜６のいずれか１項に記載の手乾燥機。
【請求項８】
前記弾性支持部材は、前記ファン軸線に対して半径方向に延びるように配置される、請求項７に記載の手乾燥機。
【請求項９】
前記ファンユニットは、前記弾性支持部材を含むソフト式取付け構成によって支持される、請求項１〜８のいずれか１項に記載の手乾燥機。
【請求項１０】
前記ソフト式取付け構成は、膨らまし可能な取付け部をさらに含み、前記膨らまし可能な取付け部は、前記ファンの出口を前記空気出口に接続する少なくとも１つの膨らまし可能なダクトを有し、前記膨らまし可能なダクトは、使用時に、前記ファンの出口から前記空気出口に流れる空気流によって膨らまされ、前記ファンユニットのための空気支持部を構成する、請求項９に記載の手乾燥機。
【請求項１１】
前記膨らまし可能な取付け部は、単一の膨らまし可能なダクトの形態をなし、前記ファンユニットは、前記膨らまし可能なダクトに着座するように配置され、前記膨らまし可能なダクトは、前記ファンユニットの下に、ダクトとファンユニットの端部同士が連結されるように配置され、空気支柱を形成する、請求項１０に記載の手乾燥機。
【請求項１２】
前記膨らまし可能なダクトは、前記ファン軸線に沿って、ダクトとファンユニットの端部同士が連結されるように配置される、請求項１１に記載の手乾燥機。
【発明の詳細な説明】
【技術分野】
【０００１】
本発明は、手乾燥機の分野に関する。
【背景技術】
【０００２】
様々な設計の手乾燥機が市販されており、これらは一般に公共のトイレにペーパタオルの代わりとして設置されている。
【０００３】
手乾燥機は、ユーザの手を乾燥させる空気流に依存する。空気流は、典型的には、手乾燥機の１つ又は２つ以上の空気出口から排出され、ユーザが手を空気出口の近くに保持することにより、空気流がユーザの手に差し向けられ、乾燥効果が発揮される。
【０００４】
主な乾燥メカニズムは、異なるタイプの手乾燥機で異なる。乾燥メカニズムは、空気流が加熱される傾向にある蒸発式のものであってもよい。変形例として、乾燥メカニズムは、手の表面における運動量乾燥効果に主に依存してもよく、この場合、空気流は高速で（８０ｍ／ｓを超える速度、典型的には、１４０ｍ／ｓを超える速度）排出される傾向にある。
【０００５】
いずれの場合にも、空気流は、手乾燥機の内部に配置されたモータ駆動式ファンユニットを用いてしばしば生成される。
【先行技術文献】
【特許文献】
【０００６】
【特許文献１】欧州特許第２３９４１２３号明細書
【発明の概要】
【発明が解決しようとする課題】
【０００７】
多くの場合、ファンユニットは比較的重く、使用時に（ロータのアンバランス等に起因する）振動を生じやすい。これにより、商業的なトイレ環境において、望ましくない過度の騒音が生じる場合がある。
【課題を解決するための手段】
【０００８】
本発明によれば、空気出口から排出される空気流によってユーザの手を乾燥させる手乾燥機が提供され、空気流は、モータ駆動されるファンユニットによって生成され、ファンユニットは、ファンユニットと接触する弾性支持部材によって支持され、弾性支持部材は、ファンユニットと接触する頂点部を有する。
【０００９】
弾性支持部材は、ファンユニットのためのソフト式の取付け接触を行う。本発明によれば、弾性支持部材は、弾性支持部材の頂点部を介してファンユニットに接触する。従って、弾性支持部材は、ファンユニットとの間で比較的小さな接触面積しか共有しない。これにより、ファンユニットの外部への振動伝達が減少し、使用時の騒音を減少させる。
【００１０】
弾性支持部材は、エラストマー支持部材であるのがよい。
【００１１】
弾性支持部材は、円錐形状を有するのがよい。
【００１２】
弾性支持部材は、手乾燥機の固定部に取付けられるのがよい。
【００１３】
複数の弾性支持部材が設けられ、ファンユニットの外側の周りに配置されるのがよい。この場合、弾性支持部材は、手乾燥機の固定部に取付けられ、固定部は、ファンユニットの外側の周りに延びるのがよい。ファンユニットは、ファンユニット内のファンの回転軸線に沿って延びるファン軸線を有する。弾性支持部材は、ファンユニットの横方向支持を行うために、ファン軸線に対して垂直方向に延びるように配置されるのがよい。具体的には、弾性支持部材は、ファンユニットの半径方向支持を行うために、ファン軸線に対して半径方向に延びるように配置されるのがよい。
【００１４】
ファンユニットは、ファンユニットの振動を外部に伝達させるハード式取付け経路が存在しないように、手乾燥機の内部にソフト式に取付けられることが好ましい。この場合、弾性支持部材は、ファンユニットのための比較的大きいソフト式取付け構成の一部を形成する。
【００１５】
ソフト式取付け構成は、膨らまし可能なマウントをさらに含み、膨らまし可能なマウントは、ファン出口を空気出口に接続する少なくとも１つの膨らまし可能なダクトを含み、膨らまし可能なダクトは、使用時に、ファン出口から空気出口に流れる空気流によって膨らまされ、ファンユニットのための空気支持部を構成する。手乾燥機の固定部は、弾性支持部材が取付けられた固定部と同じものである必要はない。変形例として、弾性支持部材が取付けられた第１の固定部と、膨らまし可能なマウントが固定された第２の固定部とが存在する。
【００１６】
空気流は、手乾燥機の固定部のオリフィスを介し、空気出口から排出され、膨らまし可能なダクトは、ファン出口をオリフィスに接続するように配置され、オリフィスの面積は、ファン出口に隣接する地点における膨らまし可能なダクトの断面積よりも小さい。これにより、空気出口の上流の空気流に対する制限が効果的にもたらされ、起動時に膨らまし可能なダクトがより急速に加圧される。また、これにより、膨らまし可能な取付け部に直接作用する圧力が減少する。
【００１７】
ファンユニットは、膨らまし可能な取付け部がファンユニットの重量を支持する補助となるように膨らまし可能なマウントの上に配置される。
【００１８】
膨らまし可能な取付け部は、複数の膨らまし可能なダクトを含んでいてもよい。
【００１９】
変形例として、取付け部は、１つのダクトのみを含んでいてもよい。この場合、取付け部は、膨らまし可能なダクト自体が膨らまし可能な取付け部を構成するように、単一の膨らまし可能な空気流ダクトの形をとることができる。この構成は非常に単純である。この構成では、ファンユニットを膨らまし可能なダクトの上に着座するように配置することができ、ダクトは、ファンユニットの下部に、ダクトとファンユニットの端部同士が連結されるように配置され、空気支柱を形成する。従って、膨らまし可能なダクトは、ファンユニットの重量を支持する補助となる。ダクトは、実質的に垂直方向に配置されることが好ましい。ファン出口は、空気を膨らまし可能なダクト内に向けて直接下方に排出するようにファンユニットの下側に配置することができ、この種の直接排出路は、複雑な排出路に関連する圧力損失を低減する補助となる。
【００２０】
必須ではないが、膨らまし可能なダクトは、エラストマーダクトであることが好ましい。例えば、膨らまし可能なダクトは、剛性部分と可撓性部分の組合せを含むこともでき、これにも関わらず、ダクトの膨らましによる空気支持を可能にする。
【００２１】
膨らまし可能なダクトは、スリーブ状にファンユニットの外側を覆って嵌合することができ、ダクトの端部は、この端部をファンユニットの外側に対して機械的に締付けるカラーによって適所に保持することができる。この構成は、ファンユニットを取付け部に固定するためのコンパクトな低プロファイル構成である。
【００２２】
ダクトは、ファン出口と空気出口の間の円滑な移行をもたらすように、ファン出口から空気出口にかけてテーパすることができる。この構成は、ダクト内の圧力損失を減少させるのに役立つ。例えば、特定の実施形態では、膨らまし可能なダクトが漏斗形である。漏斗形は、その円対称性により、取付け部が均一で対称的な減衰応答をもたらすことを確実にする補助にもなる。
【００２３】
この手乾燥機は、手の表面における高運動量乾燥効果に依拠するタイプの高圧手乾燥機とすることができる。従って、空気流は、８０ｍ／ｓを超える速度で、好ましくは１４０ｍ／ｓを超える速度で空気出口から排出されるのがよい。空気出口の上流における空気流圧力は、最大４０ｋＰａとすることができる。本発明は、ファンユニットが起動時にかなりの上向き推力を受けることがあるこれらの高圧手乾燥機に特に応用される。この高いファン推力の結果、膨らまし可能なマウントが急速に加圧され、これによりファンユニットの上向き変位に比例的に反応して抵抗する。
【００２４】
手乾燥機は、空気出口がエアナイフ排出口であるエアナイフ式手乾燥機の形をとることができる。エアナイフ排出口は、１つ又は２つ以上のスリット状の排出開口を有することができる。エアナイフ排出口は、ユーザの手の上にわたって延びるように構成することが好ましく、例えば、８０ｍｍ又はそれ以上に及ぶことができる。
【００２５】
固定部は、手乾燥機の外側ケーシングの一部を成すことができる。
【００２６】
手乾燥機は、壁取付け型手乾燥機とすることができる。このような乾燥機では、使用時に振動が壁に伝わることがあるので、ファンユニットの外部への振動伝達を減少させることが特に有利である。
【００２７】
以下、添付図面を参照しながら本発明の実施形態を一例として説明する。
【図面の簡単な説明】
【００２８】
【図１】本発明による手乾燥機を示す斜視図である。
【図２】図１に示す手乾燥機を別の角度から見た斜視図である。
【図３】使用時の空気出口からの空気流の排出を示す手乾燥機の正面図である。
【図４】内部部品が見えるように外側ケーシングを省略した手乾燥機の正面図である。
【図５】図４に示す手乾燥器の斜視図である。
【図６】後方プレート上の内部部品の取付けを示すように横板を省略した手乾燥機の斜視図である。
【図７】内部部品、特に一次空気流路内のエアフィルタを示す手乾燥器の斜視図である。
【図８】図７に示す手乾燥器においてフィルタを省略した斜視図である。
【図９】モータバケット内のファンユニット及び膨らまし可能なマウントを示すように図８に示す手乾燥器を部分的に省略した斜視図である。
【図１０】図９に示す手乾燥器を別の角度から見た斜視図である。
【図１１】ファンユニットのための複数の点マウントを示すようにモータバケットを完全に省略した図９に示す手乾燥器の斜視図である。
【図１２】内部部品、特にファンユニット及び膨らまし可能なマウントの断面図である。
【図１３】ファン軸に沿って配置されたインペラ、及び環状ファン出口を定めるディフューザを示す、ファンユニットの分解図である。
【図１４】ファンユニットを装着するために使用される手乾燥機内の部品の斜視図である。
【図１５ａ】ファンユニットに直接作用するジェット推力の概略図である。
【図１５ｂ】ファンユニットに直接作用する正味押圧力の概略図である。
【図１６ａ】ファンユニットを支持する膨らまし可能なマウントに直接作用するジェット推力の概略図である。
【図１６ｂ】膨らまし可能なマウントに直接作用する正味押圧力の概略図である。
【図１７】押圧力ＦΔP（Ｄｕｃｔ）及びジェット推力ＦΔM（Ｄｕｃｔ）を図１６ｂのオリフィス面積ａの関数として示すグラフである。
【発明を実施するための形態】
【００２９】
手乾燥機
図１〜図３は、本発明による壁取付け式の手乾燥機１を示す。
【００３０】
手乾燥機１は、空気流を排出してユーザの手を乾燥させる。空気流は、手乾燥機１の２つの空気出口３、５から高速（＞８０ｍ／ｓ）で排出される。各出口３、５は、エアナイフ排出口の形態、この場合には、幅２ｍｍ未満の狭いスリットの形態をなし、かかるスリットは、手乾燥機１の外側ケーシング７に直接機械加工される。かくして、空気流は、２つの薄い高速空気シート（図３）、すなわち、「エアナイフ」３ａ、５ａとして排出される。
【００３１】
手乾燥機１の動作モードは、製品の表面からゴミ又は液体を除去するために産業界で確立されているエアナイフの使用に類似し（例えば、エアナイフを用いてゴミをガラスシートから除去することが記載されている特許文献１参照）、各エアナイフは、それぞれの手の表面を横切るように移動しながら、水を手の表面から拭取り又はこすり取る。
【００３２】
エアナイフ排出口３、５の下にそれぞれ、手のひらを開いた手を片方ずつ挿入し、手をゆっくりと引いて、手とエアナイフの間の必要な相対運動を行う。この過程を手の両側で繰返す。手乾燥機１をより快適に使用するために、エアナイフ排出口３、５は、乾燥機１の正面から見てＶ字形態に配置される（図３）。これにより、使用時に前腕の過度の回外運動を防止する。
【００３３】
空気流は、遠心ブロワ（又は圧縮機）９の形態のモータ駆動ファンによって生成される。遠心ブロワ９は、手乾燥機１の外側ケーシング７内のモータバケット１１の内側に収容される。遠心ブロワ９及びモータバケット（モータ容器）１１を図９に示す。
【００３４】
エアフィルタ付きの２つの吸気口
空気流は、遠心ブロワ９によって、手乾燥機１の外側ケーシング７の２つの吸気口１３、１５をから引込まれる。一方の吸気口１５を図１に示し、他方の吸気口１３を図２に示す。両方の吸気口１３、１５を図４で見ることができ、図４は、各吸気口の内面に設けられた一連のシュラウドフラップ１７を示し、シュラウドフラップ１７は、異物が吸気口１３、１５から入り込むのを防止するのを助ける。
【００３５】
吸気口１３、１５は、モータバケット１１の両側に設けられた２つの矩形の平面的なＨＥＰＡフィルタ１９を介してモータバケット１１に通じている。各フィルタ１９は、それぞれの内側フィルタカバー２１と外側フィルタカバー２３の間に挟持される。従って、各フィルタ１９は、モータバケット１１の両側に平行な平面的形態で配置される。
【００３６】
いずれの場合にも、内側フィルタカバー２１は、モータバケット１１の一部を形成する矩形カバーである。フィルタ１９は、内側フィルタカバー２１にクリップ留めされた剛性フレームを有する（図５にクリップ２５を示す）。内側フィルタカバー２１に２つの孔が設けられ、２つの孔は、上側の円形の孔２７と下側の略矩形の孔２９である。２つの孔２７、２９は、フィルタ出口を効果的に形成し、それぞれのフィルタ１９から出た空気は、２つの孔２７、２９を通ってモータバケット１１に入る。
【００３７】
外側カバー２３は、それぞれのフィルタ１９のフレームの外側に滑り込む別体の矩形カバーである。外側カバー２３には、２つの平行な矩形スロット３１が形成される。これらの２つのスロット３１は、フィルタ入口を効果的に形成し、空気は、吸気口１３、１５からスロット３１を通ってそれぞれのフィルタ１９に入る。
【００３８】
フィルタ１９及び外側カバー２３は、フィルタ１９の上流側の面と外側カバー２３との間に空間、すなわち、マニホールドが存在するように配置される。これにより、使用中のフィルタ１９の不均一な負荷を防止するのを助ける。同様に、内側フィルタカバー２１は、フィルタ１９の下流側の面を横切る空間、すなわち、又はマニホールドを形成することができる。
【００３９】
いずれの場合にも、フィルタ入口とフィルタ出口を組合せて、遠心ブロワ９への吸気路をモータバケット１１内に形成する。かくして、２つの平行な吸気路が存在し、一方が２つのフィルタ１９の各々を通過する。
【００４０】
いずれの場合にも、フィルタ入口はフィルタ出口からオフセットされ、フィルタ出口とそれぞれのフィルタ入口を通る視野の線は存在せず、すなわち、内側フィルタカバー２１の下側矩形孔２９は、それぞれのフィルタ入口を形成する垂直方向スロット３１のやや下方に位置し、上側円形孔２７は、それぞれのフィルタ入口を形成する垂直方向スロット３１の間に位置する。実際には、遠心ブロワ９への各吸気路は、それぞれのフィルタ１９の中を通る複雑な通路をたどる。
【００４１】
フィルタ１９は個別に交換可能であり、クリップを取外すことによって各フィルタ１９を内側カバー２１から簡単に取外すことができ、いったんフィルタ１９を取外したら、新しいフィルタ１９を内側フィルタカバー２１の適所にクリップ留めする（クリップを取外して、外側カバー２３を再使用してもよいし、使い捨てにしてもよい）。
【００４２】
ファンユニットのためのソフトマウント構成
図１３に、遠心ブロワ９の分解図を示す。遠心ブロワ９は、電気モータ（図示せず）を含む駆動ユニット３３と、モータの出力軸に接続される遠心ファンインペラ３５と、ディフューザ３７を含む。ディフューザ３７は、静圧回復のための複数の旋回羽根を含むディフューザリング３９と、ディフューザリング３９に嵌合するディフューザキャップ４１を含み、ディフューザキャップ４１は、矢印で示すように、空気流をインペラ３５から環状ファン出口４１ａを通して外に導く（図１３には示していないが、使用の際に空気流がファン出口４１ａから離れるとき、空気流に対するある程度の残留旋回が存在する）。
【００４３】
遠心ブロワ９は、環状ファン出口４１ａが下向きであり且つ遠心ファンインペラ３５の回転軸線Ａが垂直方向に延びるように、モータバケット１１の内側に垂直方向にソフト式に取付けられる。
【００４４】
遠心ブロワ９のためのソフト式取付け構成は、ソフト式上側取付け組立体と、ソフト式下側取付け組立体を含む。
【００４５】
ソフト式下側取付け組立体は、エラストマーダクト４３の形態をとり、遠心ブロワ９の下側を端から端まで延びる。エラストマーダクト４３は漏斗形状をなし、環状ファン出口４１ａに隣接する頂部において比較的大きい断面を有し、底部における比較的小さい断面までテーパする。
【００４６】
エラストマーダクト４３の上端部は、ディフューザ３７の周囲にスリーブ状に嵌合し、ケーブルタイ（図示せず）を用いて適所にクランプ留めされる。
【００４７】
膨らまし可能なダクト４３の下端部は、ベースプレート４５に固着され、ベースプレート４５は、手乾燥機のメイン後方プレート４８（図６を参照）にハード式に取付けられ、負荷支持部を構成する。
【００４８】
図１４にベースプレートを示す。ベースプレート４５は、取付けプラットフォーム４９によって囲まれた中央連結ダクト４７を含む。膨らまし可能なダクト４３の下端部は、中央連結ダクト４７への入口の周りに着座し、取付けプラットフォーム４９にクランプリング５１（図１１）によってに固着される。クランプリング５１は、取付けプラットフォーム４９にネジ留めされ（図１４にネジ用ボス５３を示す）、膨らまし可能なダクト４３の下端部の一部を形成するフランジ４３ａをクランプ留めし、フランジ４３ａは、クランプリング５１と取付けプラットフォーム４９の間の圧縮シールとして作用する。
【００４９】
ソフト式上側取付け組立体は、円錐形の弾性支持部材５５の形態をなす４つの「先端取付け部」を含む。
【００５０】
弾性支持部材５５の各々は、その基部がモータバケット１１に取付けられ、インペラの回転軸線Ａに対して半径方向内向きに延び、その結果、弾性支持部材５５の円錐形の頂点部が遠心ブロワ９の外側ケーシングに接触する。かくして、ソフト式上側取付け組立体は、遠心ブロワ９の外側ケーシングと共に、４つの弾性支持部材５５の各々に対して１つずつ、４つの「先端接触部」を形成する。
【００５１】
Ｖ字形マニホールド５７が、２つのエアナイフ排出口３、５に空気流を分配するために設けられる。Ｖ字形マニホールド５７は、エアナイフ排出口３、５の頂部を覆うように、ケーシング７の内面にネジ留めされる。Ｖ字形マニホールド５７と手乾燥機のケーシングとの間の圧縮シールを形成する弾性ガスケット５９が用いられる。
【００５２】
Ｖ字形マニホールド５７は、ベースプレート４５の中央連結ダクト４７の下端部に可撓性ホース６１を介して連結され、可撓性ホース６１は、ベースプレート４５とマニホールド５７の間の組立公差を吸収するように構成される。可撓性ホース６１の一端は、中央連結ダクト４７の下端部に押嵌めされ、可撓性ホース６１の他端は、Ｖ字形マニホールド５７の一部を構成する入口ダクト６１ａに押嵌めされる。可撓性ダクト６１を適所に保持するケーブルタイ（図示せず）を、可撓性ダクト６１の各端部に使用するのがよい。
【００５３】
エアナイフ排出口３、５の組合せ面積は、環状ファン出口４１ａの面積よりもかなり小さい。その結果、エアナイフ排出口３、５は、環状ファン出口４１ａの下流の一次空気流路内に著しい流量制限部を構成する。かくして、遠心ブロワ９の起動時、遠心ブロワ９の下流の静圧が大幅に上昇する。このことは、膨らまし可能なダクト４３を加圧する効果を有し、それに引き続いて、遠心ブロワ９のための空気支柱として作用し、それにより、ブロワ９の変位を制限することを助け且つロータのアンバランス等に起因するモータの振動を減衰させることを助ける。
【００５４】
遠心ブロワ９の起動時に一次空気流を用いて膨らまし可能なダクト４３を加圧するので、ソフト式取付け構成は比較的簡単であり、ブリード経路、バルブ、又は別個の空気回路を必要としない。
【００５５】
所与のブロワ仕様について、膨らまし可能なダクト（取り付け部）４３の加圧速度は、ファン出口４１ａと空気出口３、５の間の有効容積（「作動容積」）、並びに、空気出口３、５の組合せ面積（「排出面積」）に依存する。その結果、一般的に比較的小さい排出面積を有するエアナイフ乾燥機では、膨らまし可能なダクト４３の加圧は比較的速い。この場合、所与の作動容積に対するダクトの膨らみが非常に速いことがよく、非常に早い初期減衰応答が得られる。
【００５６】
使用時、弾性支持部材５５は、遠心ブロワ９のための効果的な横方向支持を行う（遠心ブロワ９の軸線方向変位に対する支持はほとんど、膨らまし可能なダクト（取付け部）４３によって得られる）。それと同時に、弾性支持部材５５は、駆動ユニット３３とモータバケット１１の間の接触面積を大幅に制限することによって、外部振動伝達を減少させる。
【００５７】
弾性支持部材５５と膨らまし可能なダクト（取付け部）４３は一緒に、遠心ブロワ９のための効果的なソフト式取付け構成を形成し、それにより、手乾燥機１の外部への騒音伝達を減少させる。
【００５８】
膨らまし可能なダクト（取付け部）
使用時、ブロワ９の上流と下流の間に、すなわち、駆動ユニット３３のブロワ吸気口３３ａ（図１０）と環状ファン出口４１ａとの間に、運動量差ΔＭBlowerが存在する。このことを、図１５ａに概略的に示す。この運動量差ΔＭBlowerに加えて、ファン出口の下流の作動容積の加圧後、吸気口３３ａと環状ファン出口４１ａの間に著しい静圧差ΔＰBlowerが存在する。このことを、図１５ｂに概略的に示す。
【００５９】
運動量差ΔＭBlowerは、ブロワ９を垂直方向上向きに押しやる傾向がある「ジェット推力」ＦΔP（Ｂｌｏｗｅｒ）を引起こす。
【００６０】
静圧差ΔＰBlowerは、環状ファン出口４１ａに隣接した膨らまし可能なダクト４３のベクトル面積に有効に一致するディフューザキャップ４１のベクトル面積Ａに作用し、その結果、正味上向き押圧力ＦΔP（Ｂｌｏｗｅｒ）＝ΔＰBlowerＡをブロワ９に及ぼす。この圧力も、ブロワ９を垂直方向上向きに押しやる傾向がある。
【００６１】
ブロワ９に作用するジェット推力ＦΔM（Ｂｌｏｗｅｒ）及び押圧力ＦΔP（Ｂｌｏｗｅｒ）は両方とも、ブロワ９をベースプレート４５に固着し且つ加圧された膨らまし可能なダクト４３による抵抗を受ける。それにより、膨らまし可能なダクト４３をベースプレート４５に固着するクランプリング５１に応力が作用する。
【００６２】
また、ブロワ吸気口３３ａと膨らまし可能なダクト４３の下端部との間の運動量差ΔＭDuct及び圧力差ΔＰDuctが存在する。このことを図１６ａ及び図１６ｂに示す。
【００６３】
この場合、運動量差ΔＭDuct及び圧力差ΔＰDuctは、力をブロワ９に直接的に及ぼすのではなく、力を膨らまし可能なダクト４３に直接的に及ぼす。
【００６４】
図１６ａを参照すれば、運動量差ΔＭDuctは、クランプリング５１に抗して膨らまし可能なダクト４３を上向きに押す傾向があるジェット推力ＦΔM（Ｄｕｃｔ）を引起こす。
【００６５】
図１６ｂを参照すれば、圧力差ΔＰDuctは、中央連結ダクト４７のベクトル面積ａに作用し、その結果、膨らまし可能なダクト４３に正味上向き押圧力ＦΔP（Ｄｕｃｔ）＝ΔＰａを及ぼす。この押圧力も、クランプリング５１に抗して膨らまし可能なダクト４３を上向きに押す傾向があり、クランプリング５１にさらなる応力を及ぼす。
【００６６】
仮に中央連結ダクト４７が、ディフューザキャップ４１のベクトル面積に一致するベクトル面積Ａを有したとすると、膨らまし可能なダクト４３に直接及ぼされる押圧力ＦΔP（Ｄｕｃｔ）は、ブロワ９に及ぼされる押圧力ＦΔP（Ｂｌｏｗｅｒ）と実質的に同じ大きさになり、結果として、クランプリング５１に作用する応力は大きくなる。この問題に対応するために、中央連結ダクト４７の直径は、中央連結ダクト４７のベクトル面積ａの大きさがディフューザキャップ４１のベクトル面積Ａの大きさよりも小さくなるように設定される。かくして、中央連結ダクト４７は、ディフューザキャップ４１の面積よりも小さい面積を有する固定オリフィス４７ａを効果的に構成する（基本的には、空気流に対する意図的な制限である）。このことは、膨らまし可能なダクト４３に直接及ぼされる押圧力ＦΔP（Ｄｕｃｔ）の大きさを、ブロワ９に直接及ぼされる押圧力ＦΔP（Ｂｌｏｗｅｒ）よりも減少させる利点を有する。この減少は、ディフューザ面積Ａと無関係に実現され、従って、ブロワ仕様の一部として最適化されるのがよい。
【００６７】
ジェット推力ＦΔM（Ｄｕｃｔ）も、膨らまし可能なマウント４３を上向きに押しやる傾向がある。しかしながら、ジェット推力ＦΔM（Ｄｕｃｔ）の大きさは、一般的にかなり小さく、広範囲のオリフィス面積に対してほぼ一定のままである。その結果、膨らまし可能なダクト（取付け部）４３に及ぼされるジェット推力ＦΔM（Ｄｕｃｔ）の増加に一致させることなしに、膨らまし可能なダクト（取付け部）４３に及ぼされる押圧力ＦΔP（Ｄｕｃｔ）の減少が一般的に得られる。このことを、図１７に示し、図１７は、ＦΔP（Ｄｕｃｔ）とＦΔM（Ｄｕｃｔ）をオリフィス面積ａの関数として示している。
【００６８】
非常に小さいオリフィス面積（ａ＜ａ1）では、ジェット推力ＦΔM（Ｄｕｃｔ）が有意になる。クランプリング５１に作用する応力を減少させることのみを意図する場合、押圧力ＦΔP（Ｄｕｃｔ）の任意の減少をジェット推力ＦΔM（Ｄｕｃｔ）の増加によってオフセットさせないように注意しなければならない。それにもかかわらず、これらの小さなオリフィス面積であっても、押圧力ＦΔP（Ｄｕｃｔ）自体の減少は依然として有利である。
【図１】
2016501581.tif 000003
【図２】
2016501581.tif 000004
【図３】
2016501581.tif 000005
【図４】
2016501581.tif 000006
【図５】
2016501581.tif 000007
【図６】
2016501581.tif 000008
【図７】
2016501581.tif 000009
【図８】
2016501581.tif 000010
【図９】
2016501581.tif 000011
【図１０】
2016501581.tif 000012
【図１１】
2016501581.tif 000013
【図１２】
2016501581.tif 000014
【図１３】
2016501581.tif 000015
【図１４】
2016501581.tif 000016
【図１５ａ】
2016501581.tif 000017
【図１５ｂ】
2016501581.tif 000018
【図１６ａ】
2016501581.tif 000019
【図１６ｂ】
2016501581.tif 000020
【図１７】
2016501581.tif 000021
【国際調査報告】
2016501581.tif 000022
2016501581.tif 000023